(57)【要約】【課題】パチンコ機等の遊技機における球体流下速度を適正に制御でき、球体を常に過不足なく高速で払い出しできるようにする。また、球噛み等の不具合も解消する。【解決手段】多数の整列状態の球体Ｐが流下する球流路４に球重量によって従回転するように設けられた従動回転体たるスプロケット１０と、該従動回転体の回転軸９に設けられその回転速度を磁力により制動することにより該球体の流下速度を抑制する磁気制動手段１２とからなり、磁気制動手段は永久磁石１３と電磁コイル１５とを対峙することにより構成し、該電磁コイルの通電状態を制御する。【選択図】図３
2005218790.tif 000002
【特許請求の範囲】
【請求項１】
多数の整列状態の球体が流下する球流路に球重量によって従回転するように設けられた従動回転体と、該従動回転体の回転速度を磁力により制動することにより該球体の流下速度を抑制する磁気制動手段とからなることを特徴とした遊技機の球体流下速度制動装置。
【請求項２】
従動回転体はスプロケットにより構成した請求項１に記載の遊技機の球体流下速度制動装置。
【請求項３】
磁気制動手段は永久磁石と電磁コイルとを対峙することにより構成され、該電磁コイルの通電状態を制御することにより制動力が可変されるようにしたことを特徴とする請求項１または２に記載の遊技機の球体流下速度制動装置。
【請求項４】
磁気制動手段は一対の永久磁石を対峙することにより構成され、該永久磁石の間隔を調整することにより制動力が可変されるようにしたことを特徴とする請求項１または２に記載の遊技機の球体流下速度制動装置。
【発明の詳細な説明】
【技術分野】
【０００１】
本発明は、パチンコ機等の遊技機に設けられ、その遊技媒体である球体の流下速度を制動する装置に関するものである。
【背景技術】
【０００２】
パチンコ機における景品球等の球体の払出は、多数の整列状態の球体が自重で流下する球流路にスクリュー、スプロケット、或いはフリッカ等からなる球払出装置を設けるとともに、該球流路に球体の通過を検出する光センサ等の球検出器を設け、該球検出器によって所定数の球体が計数されると該スクリュー、スプロケット等の回転が急停止され、或いはフリッカを球流路に突出させることで、球体の払出を止るようにしている。
【０００３】
上記球流路を流下する球体の速度は、払出速度を速めるために速いほど望ましいが、一定速度以上に速いと上記球検出器による正確な検出が困難であったり、或いは、球払出装置の応答が間に合わなくなり、球体が過剰に払い出されるおそれがある。このため従来では球流路を蛇行させることにより球体の流下速度を一定速度以下に減速させていた。
【０００４】
また、下記特許文献１に記載された球体送り出し装置は、球体が流下する整列路をスプロケットの回転中心よりも後方に設けることにより球体の自重による加速が防止されるようにしたものであった。
【特許文献１】実公平５−１７１１０号公報
【発明の開示】
【発明が解決しようとする課題】
【０００５】
ところで、上記従来の制動手段によっては、球体流下速度を自由に設定したり、所望に可変することができないものであった。
【０００６】
そこで本発明は、磁気制動手段により球体流下速度を所望に可変・設定し得る遊技機の球体流下速度制動装置を提供しようとするものである。
【課題を解決するための手段】
【０００７】
そのために本発明に係る遊技機の球体流下速度制動装置は、多数の整列状態の球体が流下する球流路に球重量によって従回転するように設けられた従動回転体と、該従動回転体の回転速度を磁力により制動することにより該球体の流下速度を抑制する磁気制動手段とからなることを特徴とする。
また本発明は上記球体流下速度制動装置において、従動回転体はスプロケットにより構成したことを特徴とする。
【０００８】
また本発明は上記球体流下速度制動装置において、磁気制動手段は永久磁石と電磁コイルとを対峙することにより構成され、該電磁コイルの通電状態を制御することにより制動力が可変されるようにしたことを特徴とする。
このため、通電状態を制御するだけで球体流下速度を所望に可変・設定できるようになる。
【０００９】
また本発明は上記球体流下速度制動装置において、磁気制動手段は一対の永久磁石を対峙することにより構成され、該永久磁石の間隔を調整することにより制動力が可変されるようにしたことを特徴とする。
このため、永久磁石の間隔を調整するだけで球体流下速度を所望に可変・設定できるようになる。
【発明の効果】
【００１０】
球体流下速度が適正に制御され、球体を常に過不足なく高速で払い出しできるようになる。また、球体流下速度が不適切なために生じていた球噛み等の不具合も解消される。
【実施例１】
【００１１】
図１は本発明に係るパチンコ機の裏面の概略図で、図中、１は景品球タンク、２は該景品球タンクに貯留された球体を整列状態として自重により流下させる傾斜樋、３は該傾斜樋の下流に設けられ球体を鉛直方向に転向させる円弧状のカーブレール、４は該カーブレールの下流に設けられた球流路、５は該球流路に設けられた本発明に係る流下速度制動装置、６は該流下速度制動装置の下流に設けられたスクリュー式、スプロケット式、或いはフリッカ式等の球払出装置で、該球払出装置を通過した球体は払出樋７を通り払出口８よりパチンコ機前面の球皿に払い出される。
【００１２】
次に図２，３に従い請求項１〜３に記載の発明の実施例を示す。上記流下速度制動装置５は、回転軸９の一端に設けられた従動回転体たるスプロケット１０をその外周爪部が球流路４の側壁に開設された長孔４ａから該球流路内に臨むように軸受１１に回転自在に軸支される。１２は該回転軸９に永久磁石１３を固着するとともにケーシング１４内に該永久磁石１３の磁極と対峙する電磁コイル１５を設けてなる磁気制動手段である。また、１６は該電磁コイルの通電状態を制御するため該電磁コイルの導線両端に設けられた電流制御装置である。該電流制御装置１６は、電磁コイル１５の導線両端間に外部から所定の電圧電流を流し該電磁コイルを所定磁力に励磁したり、或いは、電磁コイル１５の導線両端を短絡または導線両端間に所定の電気抵抗が生じるように制御するものである。なお、Ｓ１，Ｓ２は球流路４に設けられた球検出用センサで、該センサによって球流路４を流下する球体Ｐの速度（連続して流下する球と球との間隔時間、通過時間等を計測することによる）を検出できる。
【００１３】
このように電磁コイル１４を永久磁石１２と対峙させることにより、回転時に該電磁コイル１４に生じる磁極が永久磁石１２の接近と離間を制動することとなるので、回転軸９の回転に制動力が働き、スプロケット１０の回転速度を落とし、球流路４を自重で流下する球体Ｐの流下速度を抑制することができる。そして、電磁コイル１４に生じさせる磁力は電流制御装置１６の設定如何により自由に設定，制御できるので、球体Ｐの流下速度を自在にコントロールすることができる。このため、球払出装置９に球体Ｐが常に適正な速度で供給され、流下速度が速すぎることに起因する過剰な払出、或いは流下速度が遅すぎることによる払出球不足、或いは球噛み等の不具合が解消される。なお、この流下速度を球検出用センサＳ１，Ｓ２によって常時検出（連続して流下する球と球との間隔時間、通過時間等を計測することによる）し、その検出速度を電流制御装置１６にフィードバックさせ、流下速度を一定にコントロールすることもできる。
【実施例２】
【００１４】
一方、図４は請求項４に記載の発明の実施例を示すもので、この実施例に示す磁気制動手段１２は、スプロケット１０の回転軸９に永久磁石１３を固着するとともに、該永久磁石１３に間隔ｇを離して永久磁石１７を対峙してなる。このため、回転時に永久磁石１７が永久磁石１３に及ぼす磁力によりその回転が制動されスプロケット１０の回転速度を落とし球流路４を自重で流下する球体Ｐの流下速度を抑制することができる。
【実施例３】
【００１５】
また、図５の実施例に示したように、上記永久磁石１７を進退動させる電動アクチュエータ１８を設け、永久磁石１７の設定位置を変えて永久磁石１３との間隔ｇを調整できるようにすれば、永久磁石１３に及ぼす磁力を適時調整できることから、この制動力を自在に可変することも可能となる。
なおこれらの実施例は球流路４を球体Ｐが単列で流下するものを示したが、球体Ｐが複数列にて流下するものであってもよいこと勿論である。
【実施例４】
【００１６】
図６に示した実施例は、流下速度制動装置５の上流に多数の球体を待機させられるように蛇行状のカーブレール３を設けてなるもので、同図中、上記実施例と同一符号は同一部分を示す。また、この実施例に示した球払出装置６はソレノイド６ｂの作動によりフリッカ６ａが球流路４に出没するように構成したフリッカ式球払出装置である。１９は球抜時用の流路切換弁を示す。なお、Ｓ１はその払出用球数の存在を確認する目的からも設けられた球検出用センサ、Ｓ２は払出用球数計数用に設けられた球検出用センサである。
【実施例５】
【００１７】
また、上記実施例１〜４に示した球体流下速度制動装置５は、球払出装置６と別体に設けたが、図７に示した実施例は、この球体流下速度制動装置５に球体Ｐの流下を停止させる機能を具備させることにより、球払出装置としての機能も兼ね備えたものである。即ち、外周部が球流路４に臨むように回転自在に軸支されたスプロケット１０の近傍にソレノイド２０を設け、該ソレノイドから出没する作動軸２１がスプロケット１０に係合し得るようにしたもので、該ソレノイドを励磁させることによりスプロケット１０が回転可能となり該ソレノイドを消磁させることで同図に示したように該スプロケット１０の回転を停止させることから、該ソレノイドの励磁時間を制御することにより所定数の球体が払い出されるようにしたものである。なお、Ｓ１は球体の払出個数を検出するセンサである。そしてこの実施例の場合も回転軸９に上記実施例に示したような磁気制動手段を設けることにより、払出作動と同時に球体流下速度を制動することが可能となる。
【図面の簡単な説明】
【００１８】
【図１】本発明の実施例を示すパチンコ機の裏面図。
【図２】本発明の実施例を示す球流路の縦断面図。
【図３】本発明の実施例を示す球体流下速度制動装置の縦断面図。
【図４】本発明の他の実施例を示す球体流下速度制動装置の縦断面図。
【図５】本発明の他の実施例を示す球体流下速度制動装置の縦断面図。
【図６】本発明の他の実施例を示す球体流下速度制動装置の縦断面図。
【図７】本発明の他の実施例を示す球流路の縦断面図。
【符号の説明】
【００１９】
４      球流路
５      流下速度制動装置
６      球払出装置
９      回転軸
１０    スプロケット
１２    磁気制動手段
１３    永久磁石
１５    電磁コイル
１６    電流制御装置
１７    永久磁石
１８    電動アクチュエータ
Ｐ      球体
【図１】
2005218790.tif 000003
【図２】
2005218790.tif 000004
【図３】
2005218790.tif 000005
【図４】
2005218790.tif 000006
【図５】
2005218790.tif 000007
【図６】
2005218790.tif 000008
【図７】
2005218790.tif 000009